(57)【要約】【課題】屋外に採光を妨げる障害物がある場合の採光窓を通じた室内特定位置での昼光率を、精度良く、容易に求めることができる方法を提供する。【解決手段】障害物３がない場合の採光窓１を通じた室内特定位置Ｐ０での第１の昼光率Ｄ0を求めると共に、採光窓１のある建物２と障害物３とによって区画される屋外の採光部ｗ１〜ｗ３を仮想採光窓とし、該仮想採光窓ｗ１〜ｗ３を通じた採光窓１の位置Ｐｆでの第２の昼光率を求め、これら第１及び第２の昼光率の積を１００で除した値Ｄを、障害物３がある場合の採光窓１を通じた室内特定位置Ｐ０での昼光率とする。仮想採光窓ｗ１〜ｗ３は、仮想鉛直長方形窓と仮想水平長方形窓のいずれか一方のみ又は両方のみで構成するとよい。【選択図】      図１
2010151728.tif 000002
【特許請求の範囲】
【請求項１】
屋外に採光を妨げる障害物がある場合の採光窓を通じた室内特定位置での昼光率を求める方法であって、
前記障害物がない場合の前記採光窓を通じた前記室内特定位置での第１の昼光率を求めると共に、
前記採光窓のある建物と前記障害物とによって区画される屋外の採光部を仮想採光窓とし、該仮想採光窓を通じた前記採光窓の位置での第２の昼光率を求め、
これら第１及び第２の昼光率の積を１００で除した値を、障害物がある場合の採光窓を通じた室内特定位置での昼光率とすることを特徴とする、屋外に採光を妨げる障害物がある場合の昼光率を求める方法。
【請求項２】
前記仮想採光窓を、仮想鉛直長方形窓と仮想水平長方形窓のいずれか一方のみ又は両方のみで構成する請求項１に記載の昼光率を求める方法。
【発明の詳細な説明】
【技術分野】
【０００１】
本発明は、屋外に採光を妨げる障害物がある場合の昼光率を求める方法に関する。
【背景技術】
【０００２】
屋外に採光を妨げる隣家の建物や樹木等の障害物がない場合の採光窓を通じた室内特定位置での昼光率の求め方は、従来より知られているが、その方法によって求められた昼光率を、屋外にそのような障害物がある場合の昼光率とみなすことはできない。
【特許文献１】特開平８−２２０９８０号公報
【発明の開示】
【発明が解決しようとする課題】
【０００３】
本発明は、上記のような問題点に鑑み、屋外に採光を妨げる障害物がある場合の採光窓を通じた室内特定位置での昼光率を、精度良く、容易に求めることができる方法を提供することを課題とする。
【課題を解決するための手段】
【０００４】
上記の課題は、屋外に採光を妨げる障害物がある場合の採光窓を通じた室内特定位置での昼光率を求める方法であって、
前記障害物がない場合の前記採光窓を通じた前記室内特定位置での第１の昼光率を求めると共に、
前記採光窓のある建物と前記障害物とによって区画される屋外の採光部を仮想採光窓とし、該仮想採光窓を通じた前記採光窓の位置での第２の昼光率を求め、
これら第１及び第２の昼光率の積を１００で除した値を、障害物がある場合の採光窓を通じた室内特定位置での昼光率とすることを特徴とする、屋外に採光を妨げる障害物がある場合の昼光率を求める方法によって解決される（第１発明）。
【０００５】
この方法では、採光窓のある建物と障害物とによって区画される屋外の採光部を仮想採光窓とし、該仮想採光窓を通じた前記採光窓の位置での第２の昼光率を求め、この第２昼光率と、障害物がない場合の採光窓を通じた室内特定位置での第１の昼光率との積を１００で除した値を、障害物がある場合の採光窓を通じた室内特定位置での昼光率とするものであるから、屋外に採光を妨げる障害物がある場合の採光窓を通じた室内特定位置での昼光率を精度良く求めることができる。
【０００６】
しかも、採光窓のある建物と障害物とによって区画される屋外の採光部を仮想採光窓とし、該仮想採光窓を通じた前記採光窓の位置での第２の昼光率を求め、この第２昼光率と、障害物がない場合の採光窓を通じた室内特定位置での第１の昼光率との積を１００で除するだけでよいので、屋外に採光を妨げる障害物がある場合の採光窓を通じた室内特定位置での昼光率を容易に求めることができる。
【０００７】
第１発明において、前記仮想採光窓を、仮想鉛直長方形窓と仮想水平長方形窓のいずれか一方のみ又は両方のみで構成するとよい（第２発明）。この場合は、鉛直長方形窓や水平長方形窓についての第１の昼光率を求めるのに使用される既存の算式や算定図を用いて、第２の昼光率を求めることができ、屋外に採光を妨げる障害物がある場合の採光窓を通じた室内特定位置での昼光率を、より一層容易に求めることができる。
【発明の効果】
【０００８】
本発明は、以上のとおりのものであるから、屋外に採光を妨げる障害物がある場合の採光窓を通じた室内特定位置での昼光率を、精度良く、容易に求めることができる。
【発明を実施するための最良の形態】
【０００９】
次に、本発明の実施最良形態を図面に基づいて説明する。
【００１０】
図１に示す実施形態は、鉛直長方形窓からなる採光窓１を有する建物２の前記採光窓１のある側に、障害物としての隣家の建物３が存在する場合のもので、建物２の採光窓１を通じた室内特定位置Ｐ0での昼光率Ｄを、次式（１）を用いて、次のようにして求める。
【００１１】
【数１】
2010151728.tif 000003
【００１２】
即ち、式（１）の適用において、隣家の建物３がない場合の採光窓１を通じた室内特定位置Ｐ0における第１の昼光率Ｄ0を求める。第１昼光率Ｄ0は、既存の計算式に当てはめて求めてもよいし、既存の算定図から求めてもよい。
【００１３】
また、採光窓１のある建物２と、隣家の建物３とによって区画される屋外の採光部を仮想採光窓とし、該仮想採光窓を通じた前記採光窓１の位置Ｐfでの第２の昼光率を求める。
【００１４】
本実施形態では、この仮想窓を、図１（イ）（ロ）に示すように、１つの仮想水平長方形窓ｗ１と、２つの仮想鉛直長方形窓ｗ２，ｗ３のみによる合計３つ（ｋ＝１〜３）の仮想窓ｗ１，ｗ２，ｗ３で構成する。その場合、上記の式（１）は、式（２）であらわされる。
【００１５】
【数２】
2010151728.tif 000004
【００１６】
これら各仮想窓ｗ１，ｗ２，ｗ３について、該仮想窓を通じた採光窓１の位置Ｐfでの昼光率Ｄw1，Ｄw2，Ｄw3を求める。昼光率Ｄw1，Ｄw2，Ｄw3は、昼光率Ｄ0 を求めるのと同様の方法で、既存の計算式に当てはめて求めてもよいし、既存の算定図から求めてもよい。なお、本実施形態では、採光窓１の位置Ｐfを、採光窓１の下端中央位置としている。
【００１７】
上記のようにして求めた第１の昼光率Ｄ0と第２の昼光率Ｄ0，Ｄw1，Ｄw2，Ｄw3とを式（２）に当てはめて求まるＤが、隣家の建物３が存在する場合の、建物２の採光窓１を通じた室内特定位置Ｐ0での昼光率である。
【００１８】
このように、上記の方法によれば、採光窓１のある建物２と隣家の建物３とによって区画される屋外の採光部ｗ１，ｗ２，ｗ３を仮想採光窓とし、該仮想採光窓ｗ１，ｗ２，ｗ３を通じた採光窓１の位置での第２の昼光率Ｄw1，Ｄw2，Ｄw3を求め、この第２昼光率Ｄw1，Ｄw2，Ｄw3と、障害物がない場合の採光窓を通じた室内特定位置での第１の昼光率Ｄ0との積を１００で除した値を、隣家の建物３がある場合の採光窓１を通じた室内特定位置Ｐ0での昼光率Ｄとするものであるから、隣家の建物３がある場合の採光窓１を通じた室内特定位置Ｐ0での昼光率を精度良く求めることができる。
【００１９】
しかも、採光窓１のある建物２と隣家の建物３とによって区画される屋外の採光部ｗ１，ｗ２，ｗ３を仮想採光窓とし、該仮想採光窓ｗ１，ｗ２，ｗ３を通じた採光窓１の位置での第２の昼光率Ｄw1，Ｄw2，Ｄw3を求め、この第２昼光率Ｄw1，Ｄw2，Ｄw3と、障害物がない場合の採光窓を通じた室内特定位置での第１の昼光率Ｄ0との積を１００で除するだけでよいので、隣家の建物３がある場合の採光窓１を通じた室内特定位置Ｐ0での昼光率を容易に求めることができる。
【００２０】
特に、本実施形態では、仮想採光窓を、仮想鉛直長方形窓ｗ２，ｗ３と仮想水平長方形窓ｗ１のみで構成しているので、上記のように、鉛直長方形窓や水平長方形窓についての第１の昼光率を求めるのに使用される既存の算式や算定図を用いて、各仮想窓ｗ１，ｗ２，ｗ３についての第２の昼光率を求めることができ、隣家の建物３がある場合の採光窓１を通じた室内特定位置Ｐ0での昼光率Ｄを、より一層容易に求めることができる。
【００２１】
図２に示す実施形態は、隣家の建物３が、軒部４を有すると共に、採光窓１のある建物２よりも背高であり、かつ、棟線方向の寸法が採光窓１のある建物２よりも小さい場合のもので、建物２の採光窓１を通じた室内特定位置Ｐ0での昼光率Ｄを、式（１）を用いて、次のようにして求める。
【００２２】
即ち、式（１）の適用において、上記の場合と同様に、隣家の建物３がない場合の採光窓１を通じた室内特定位置Ｐ0における第１の昼光率Ｄ0を求める。併せて、本実施形態では、隣家の建物３が、軒部４を有すると共に、採光窓１のある建物２よりも背高であり、かつ、棟線方向の寸法が採光窓１のある建物２よりも小さいことを考慮し、仮想窓を、図２（イ）〜（ハ）に示すように、１つの仮想水平長方形窓ｗ１と、４つの仮想鉛直長方形窓ｗ２，ｗ３，ｗ４，ｗ５のみによる合計５つ（ｋ＝１〜５）の仮想窓ｗ２，ｗ３，ｗ４，ｗ５で構成する。その場合、上記の式（１）は、式（３）であらわされる。
【００２３】
【数３】
2010151728.tif 000005
【００２４】
なお、
・  仮想窓ｗ１は、その外側に一切障害のない高さ位置であって、軒部４と壁面で切り取られる領域の仮想水平長方形窓であり、
・  仮想窓ｗ２は、隣家の建物３の軒部４と仮想窓ｗ１，ｗ３のすきまの仮想鉛直長方形窓であり、
・  仮想窓ｗ３は、採光窓１のある建物２と隣家の建物３との棟線５方向の一方の側の仮想鉛直長方形窓であり、
・  仮想窓ｗ４は、採光窓１のある建物２と隣家の建物３との棟線５方向のもう一方の側の仮想鉛直長方形窓であり、
・  仮想窓ｗ５は、隣家の建物３の軒部４と壁面のすきまの仮想鉛直長方形窓である。
【００２５】
これら各仮想窓ｗ１，ｗ２，ｗ３，ｗ４，ｗ５について、該仮想窓を通じた採光窓１の位置Ｐfでの第２の昼光率Ｄw1，Ｄw2，Ｄw3，Ｄw4，Ｄw5を求める。これら第２の昼光率Ｄ0，Ｄw1，Ｄw2，Ｄw3と、上記の第１の昼光率Ｄ0とを、式（３）に当てはめて求まるＤが、隣家の建物３が存在する場合の、建物２の採光窓１を通じた室内特定位置Ｐ0での昼光率とする。
【００２６】
以上に、本発明の実施形態を示したが、本発明はこれに限られるものではなく、発明思想を逸脱しない範囲で各種の変更が可能である。例えば、上記の実施形態では、採光を妨げる障害物が、特定の形態をした隣家の建物３である場合を示したが、隣家の建物の形態に制限はなく、種々の形態をしていてよく、仮想窓を構成する仮想鉛直長方形窓や仮想水平長方形窓についても、隣家の建物等の障害物の形態との関係で各種態様に設定されてよいし、また、採光を妨げる障害物は隣家の建物に限らず、樹木や、擁壁などであってもよい。また、採光窓のある建物と障害物とによって区画される屋外の採光部のすべてを仮想採光窓としてもよいし、主要な一部を仮想採光窓とするようにしてもよい。
【図面の簡単な説明】
【００２７】
【図１】一実施形態を示すもので、図（イ）は建物の一部断面正面図、図（ロ）は一部断面平面図である。
【図２】他の実施形態を示すもので、図（イ）は建物の一部断面正面図、図（ロ）及び図（ハ）は一部断面平面図である。
【符号の説明】
【００２８】
１…採光窓
２…建物
３…隣家の建物（障害物）
Ｐ０…室内特定位置
Ｐｆ…採光窓の位置
ｗ１〜ｗ５…仮想窓
【図１】
2010151728.tif 000006
【図２】
2010151728.tif 000007